【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
前面枠の表側に取り付けられた遊技盤と、
前記前面枠の裏側に取り付けられた裏機構盤と、
前記遊技盤裏側に備えられた遊技盤裏面構成部材と、
遊技に関する制御を行う制御装置とを有し、
該制御装置に電源供給可能な電源装置が、前記前面枠の裏側の所定位置に取り付けられた遊技機において、
前記裏機構盤は、
中央に開口部を有すると共に、該開口部から前記遊技盤裏面構成部材の一部が当該遊技機の裏側に露出するような状態で配設され、かつ、異なる種類の前記電源装置を取付可能な共通取付部が設けられており、
前記遊技盤裏面構成部材の裏面及び電源装置には、それぞれ係合部を設け、
前記電源装置が前記裏機構盤の共通取付部に取り付けられる際に、電源装置が機能的に当該遊技盤に適合する場合に限り、前記係合部同士が係合するようになっていることを特徴とする遊技機。
【請求項２】
前記遊技盤裏面構成部材の裏面の係合部が突出部となっており、
前記電源装置の係合部が前記突出部に嵌合する嵌合部となっていることを特徴とする請求項１に記載の遊技機。
【手続補正２】
【補正対象書類名】明細書
【補正対象項目名】０００６
【補正方法】変更
【補正の内容】
【０００６】
この発明は、上記のような問題点を解決するためになされたもので、遊技盤に適合する電源を供給可能な電源装置のみが遊技機に取付可能であり、遊技盤に適合しない電源装置は遊技機に取付できない構造を有する遊技機を提供することを目的とする。


【手続補正３】
【補正対象書類名】明細書
【補正対象項目名】０００７
【補正方法】変更
【補正の内容】
【０００７】
【課題を解決するための手段】
上記課題を解決するため、請求項１記載の発明は、前面枠の表側に取り付けられた遊技盤と、前記前面枠の裏側に取り付けられた裏機構盤と、前記遊技盤裏側に備えられた遊技盤裏面構成部材と、遊技に関する制御を行う制御装置とを有し、
該制御装置に電源供給可能な電源装置が、前記前面枠の裏側の所定位置に取り付けられた遊技機において、前記裏機構盤は、中央に開口部を有すると共に、該開口部から前記遊技盤裏面構成部材の一部が当該遊技機の裏側に露出するような状態で配設され、かつ、異なる種類の前記電源装置を取付可能な共通取付部が設けられており、前記遊技盤裏面構成部材の裏面及び電源装置には、それぞれ係合部を設け、前記電源装置が前記裏機構盤の共通取付部に取り付けられる際に、電源装置が機能的に当該遊技盤に適合する場合に限り、前記係合部同士が係合するようになっていることを特徴としている。


【手続補正４】
【補正対象書類名】明細書
【補正対象項目名】０００８
【補正方法】変更
【補正の内容】
【０００８】
ここで、「電源装置が機能的に遊技盤に適合する」とは、電源装置が当該遊技盤の制御装置において使用する全ての電源を供給可能になっている等、当該電源装置を取り付けて遊技盤に不具合を生じさせない条件が整っていることをいう。また、電源装置が遊技盤に機能的に適合する場合に限り係合部同士が係合するような構成としては、使用する電源が異なる遊技盤毎に、遊技盤裏面構成部材の係合部が設けられる位置を変え、かつ、それぞれの遊技盤に機能的に適合する電源装置は、当該遊技盤に合わせて係合部を設けることが挙げられる。なお、係合部の位置に限らず、係合部の形状、大きさ等を変えても良いし、さらに、これらを複合的に変えるようにしても良い。


【手続補正５】
【補正対象書類名】明細書
【補正対象項目名】０００９
【補正方法】変更
【補正の内容】
【０００９】
遊技機においては、遊技盤に多くの電気部品が設けられており、この電気部品に応じて必要な電源の種類が異なることが多い。そのため、遊技盤によって使用する電源装置の種類が決定される場合が多い。
この請求項１記載の発明によれば、遊技盤と機能的に適合する電源装置のみが裏機構盤の共通取付部に取り付けられるように、使用する電源が異なる遊技盤毎に、電源装置及び遊技盤裏面構成部材に設けられた係合部の位置、大きさ、形状等が変えられているため、誤って異なる電源を供給する電源装置を取り付けることがなくなる。


【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
また、遊技盤に必要な電源を供給可能な電源装置かどうかを見ながら電源装置を取り付けることができる。これにより、必要な電源の種類を把握した状態で電源装置を取り付けることができ、より確実に機能的に適合した電源装置を取り付けることができる。


【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
また、裏機構盤が、異なる種類の電源装置を取付可能となっているため、異なる電源装置を使用する場合であっても裏機構盤側を共通利用することができる。


【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
請求項２記載の発明は、請求項１に記載の遊技機において、前記遊技盤裏面構成部材の裏面の係合部が突出部となっており、前記電源装置の係合部が前記突出部に嵌合する嵌合部となっていることを特徴としている。


【手続補正１７】
【補正対象書類名】明細書
【補正対象項目名】００２１
【補正方法】変更
【補正の内容】
【００２１】
この請求項２記載の発明によれば、遊技盤裏面構成部材の裏面の係合部が突出部、電源装置の係合部が嵌合部となっているため、スムーズに係合部同士の係合を行うことができる。


【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００６２
【補正方法】変更
【補正の内容】
【００６２】
【発明の効果】
請求項１記載の発明に係る遊技機によれば、遊技盤と機能的に適合する電源装置のみが裏機構盤の共通取付部に取り付けられるように、使用する電源が異なる遊技盤毎に、電源装置及び遊技盤裏面構成部材に設けられた係合部の位置、大きさ、形状等が変えられているため、誤って異なる電源を供給する電源装置を取り付けることがなくなる。


【手続補正２５】
【補正対象書類名】明細書
【補正対象項目名】００６３
【補正方法】変更
【補正の内容】
【００６３】
また、遊技盤に備えられた遊技盤裏面構成部材に電源装置が取り付けられるため、遊技盤に必要な電源を供給可能な電源装置かどうかを見ながら電源装置を取り付けることができる。これにより、必要な電源の種類を把握した状態で電源装置を取り付けることができ、より確実に機能的に適合した電源装置を取り付けることができる。


【手続補正２６】
【補正対象書類名】明細書
【補正対象項目名】００６４
【補正方法】削除
【補正の内容】
【手続補正２７】
【補正対象書類名】明細書
【補正対象項目名】００６５
【補正方法】変更
【補正の内容】
【００６５】
また、裏機構盤が、異なる種類の電源装置を取付可能となっているため、異なる電源装置を使用する場合であっても裏機構盤側を共通利用することができる。


【手続補正２８】
【補正対象書類名】明細書
【補正対象項目名】００６６
【補正方法】削除
【補正の内容】
【手続補正２９】
【補正対象書類名】明細書
【補正対象項目名】００６７
【補正方法】削除
【補正の内容】
【手続補正３０】
【補正対象書類名】明細書
【補正対象項目名】００６８
【補正方法】変更
【補正の内容】
【００６８】
請求項２記載の発明に係る遊技機によれば、遊技盤裏面構成部材の裏面の係合部が突出部、電源装置の係合部が嵌合部となっているため、スムーズに係合部同士の係合を行うことができる。


【手続補正３１】
【補正対象書類名】明細書
【補正対象項目名】００６９
【補正方法】削除
【補正の内容】
【手続補正３２】
【補正対象書類名】明細書
【補正対象項目名】００７０
【補正方法】削除
【補正の内容】
【手続補正３３】
【補正対象書類名】明細書
【補正対象項目名】００７１
【補正方法】削除
【補正の内容】